(57)【特許請求の範囲】
【請求項１】
第１のデータパケットを送信するための第１の周波数帯域の組み合わせを選択することと、
第２のデータパケットを送信するための第２の周波数帯域の組み合わせを選択することと、前記第２の組み合わせは、前記第１の組み合わせとは異なる、
データストリームを第１のデータのセットと第２のデータのセットにパーズすることと、前記第１のデータのセットは、前記第１の周波数帯域の組み合わせに割り当てられ、前記第２のデータのセットは、前記第２の周波数帯域の組み合わせに割り当てられる、
前記第１のデータのセットを第１のストリームのセットに、および前記第２のデータのセットを第２のストリームのセットに、空間マッピングすることと、
前記第１のストリームのセットおよび前記第２のストリームのセットの各々を別々に処理して、処理された第１のストリームのセットおよび処理された第２のストリームのセットを提供することと、
第１のアンテナおよび第２のアンテナ上での送信のために前記処理された第１のストリームのセットの複数のストリームを合計することと、
第１のアンテナおよび第２のアンテナ上での送信のために前記処理された第２のストリームのセットの複数のストリームを合計することと、
を備える方法。
【請求項２】
第１のセグメントの周波数および第２のセグメントの周波数を備える周波数スペクトルから、前記第１の組み合わせおよび前記第２の組み合わせを選択することをさらに備え、前記第１のセグメントは、第１の周波数帯域のセットを備え、前記第２のセグメントは、第２の周波数帯域のセットを備える、請求項１に記載の方法。
【請求項３】
前記第１のセグメントは、前記第２のセグメントと連続していない、請求項２に記載の方法。
【請求項４】
前記第１のセグメントおよび前記第２のセグメントは、８０ＭＨｚの帯域幅をそれぞれ有する、請求項２に記載の方法。
【請求項５】
前記第１の組み合わせにおける各周波数帯域および前記第２の組み合わせにおける各周波数帯域は、２０ＭＨｚ、４０ＭＨｚ、および８０ＭＨｚを含むグループから選択される帯域幅を有する、請求項１に記載の方法。
【請求項６】
前記第１の周波数帯域の組み合わせに含まれる周波数帯域を識別する情報を前記第１のデータパケット中に含めることと、
前記第２の周波数帯域の組み合わせに含まれる周波数帯域を識別する情報を前記第２のデータパケット中に含めることと、
をさらに備える、請求項１に記載の方法。
【請求項７】
前記第１の周波数帯域の組み合わせに含まれる周波数帯域を識別するために、前記第１のデータパケットの指定されたフィールド中に第１のビットセット値を設定することと、
前記第２の周波数帯域の組み合わせに含まれる周波数帯域を識別するために、前記第２のデータパケットの前記指定されたフィールド中に第２のビットセット値を設定することと、
をさらに備える、請求項１に記載の方法。
【請求項８】
方法であって、
第１のデータパケットを送信するために利用可能な第１の複数の周波数を識別する情報を取得することと、
前記第１の複数の周波数のうちの第１の周波数のセットから選択された第１の周波数帯域の組み合わせを使用して、前記第１のデータパケットを送信することと、
第２のデータパケットを送信するために利用可能な第２の複数の周波数を識別する情報を取得することと、前記第２の複数の周波数は、前記第１の複数の周波数とは異なる、
前記第２の複数の周波数のうちの第２の周波数のセットから選択された第２の周波数帯域の組み合わせを使用して、前記第２のデータパケットを送信することと、
なお、前記第１のデータパケットを送信することは、第１のアンテナおよび第２のアンテナ上での送信のために空間的にマッピングされた複数のストリームを合計することを含み、前記第２のデータパケットを送信することは、前記第１のアンテナおよび前記第２のアンテナ上での送信のために空間的にマッピングされた複数のストリームを合計することを含む、
を備える方法。
【請求項９】
データストリームを第１のデータのセットと第２のデータのセットにパーズすることをさらに備え、前記第１のデータのセットは、前記第１の周波数帯域の組み合わせに割り当てられ、前記第２のデータのセットは、前記第２の周波数帯域の組み合わせに割り当てられる、請求項８に記載の方法。
【請求項１０】
第１のセグメントの周波数および第２のセグメントの周波数を備える周波数スペクトルから、前記第１の組み合わせおよび前記第２の組み合わせを選択することをさらに備え、前記第１のセグメントは、第１の周波数帯域のセットを備え、前記第２のセグメントは、第２の周波数帯域のセットを備える、請求項８に記載の方法。
【請求項１１】
前記第１の周波数帯域のセットは、前記第２の周波数帯域のセットと連続していない、請求項１０に記載の方法。
【請求項１２】
前記第１の周波数帯域のセットおよび前記第２の周波数帯域のセットは、８０ＭＨｚの帯域幅をそれぞれ有し、前記第１の周波数帯域の組み合わせにおける各周波数帯域および前記第２の周波数帯域の組み合わせにおける各周波数帯域は、２０ＭＨｚ、４０ＭＨｚ、および８０ＭＨｚを含むグループから選択される帯域幅を有する、請求項１０に記載の方法。
【請求項１３】
前記第１の周波数帯域の組み合わせに含まれる周波数帯域を識別する情報を前記第１のデータパケット中に含めることと、
前記第２の周波数帯域の組み合わせに含まれる周波数帯域を識別する情報を前記第２のデータパケット中に含めることと、
をさらに備える、請求項８に記載の方法。
【請求項１４】
前記第１の周波数帯域の組み合わせに含まれる周波数帯域を識別するために、前記第１のデータパケットの指定されたフィールド中に第１のビットセット値を設定することと、
前記第２の周波数帯域の組み合わせに含まれる周波数帯域を識別するために、前記第２のデータパケットの前記指定されたフィールド中に第２のビットセット値を設定することと、
をさらに備える、請求項８に記載の方法。
【請求項１５】
データのパケットを備える無線信号を送信するように動作可能な複数のアンテナと、
前記複数のアンテナに結合され、かつデータストリームから前記無線信号を生成するように動作可能な送信機と、
を備え、
前記送信機は、前記データストリームを異なる周波数帯域に分割するように動作可能であり、なお、前記周波数帯域の第１の組み合わせは、第１のパケットを送信するために選択され、前記周波数帯域の第２の組み合わせは、第２のパケットを送信するために選択され、前記第２組み合わせは、前記第１の組み合わせと異なり 、
前記送信機は、
前記周波数帯域の第１の組み合わせに関連した空間的にマッピングされた第１のストリームのセット、および、前記周波数帯域の第２の組み合わせに関連した空間的にマッピングされた第２のストリームのセットを提供する少なくとも１つの空間マッパと、
前記空間的にマッピングされた第１のストリームのセットの各々を別々に処理して、処理された第１のストリームのセットを提供するための、および、前記空間的にマッピングされた第２のストリームのセットの各々を別々に処理して、処理された第２のストリームのセットを提供するための、手段と、
前記複数のアンテナ上での送信のために前記処理された第１のストリームのセットの複数のストリームを合計するための、および、前記複数のアンテナ上での送信のために前記処理された第２のストリームのセットの複数のストリームを合計するための、少なくとも１つの加算器とを含む、
デバイス。
【請求項１６】
前記第１の周波数帯域の組み合わせは、第１の周波数帯域のセットを備える第１の連続した周波数スペクトルから選択され、前記第２の周波数帯域の組み合わせは、第２の周波数帯域のセットを備える第２の連続した周波数スペクトルから選択される、請求項１５に記載のデバイス。
【請求項１７】
前記第１の連続した周波数スペクトルは、前記第２の連続した周波数スペクトルと連続していない、請求項１６に記載のデバイス。
【請求項１８】
前記第１の連続した周波数スペクトルおよび前記第２の連続した周波数スペクトルは、８０ＭＨｚの帯域幅をそれぞれ有し、前記第１の周波数帯域の組み合わせにおける各周波数帯域および前記第２の周波数帯域の組み合わせにおける各周波数帯域は、２０ＭＨｚ、４０ＭＨｚ、および８０ＭＨｚを含むグループから選択される帯域幅を有する、請求項１６に記載のデバイス。
【請求項１９】
前記第１のパケットは、前記第１の周波数帯域の組み合わせに含まれる周波数帯域を識別する情報を備え、前記第２のパケットは、前記第２の周波数帯域の組み合わせに含まれる周波数帯域を識別する情報を備える、請求項１５に記載のデバイス。
【請求項２０】
前記送信機は、前記第１の周波数帯域の組み合わせに含まれる周波数帯域を識別するために、前記第１のパケットの指定されたフィールド中に第１のビットセット値を設定し、前記第２の周波数帯域の組み合わせに含まれる周波数帯域を識別するために、前記第２のパケットの前記指定されたフィールド中に第２のビットセット値を設定するようにさらに動作可能である、請求項１５に記載のデバイス。
【発明の詳細な説明】
【関連出願】
【０００１】
[0001]   本願は、ここにその全文を参照により組み込まれる、２０１０年９月１６日に出願された、Kim et al. による「より広い帯域幅のためのアーキテクチャ（“Architecture for Wider Bandwidth ”）」と題された、米国仮特許出願第６１／３８３，６３７号の優先権を主張する。
【背景技術】
【０００２】
[0002]   ＩＥＥＥ（電気電子技術者協会）８０２．１１ａｃ無線コンピュータネットワーキング規格は、特に、（５ＧＨｚ帯と称される）６ＧＨｚ未満の周波数で、最大１６０ＭＨｚまでのより広い無線周波数（ＲＦ）帯域幅を可能にする。いかなる周波数スペクトルでもそうであるように、５ＧＨｚ帯は、増え続けるユーザ、デバイス、およびアプリケーションによって共用されなければならない限定された量の周波数を含むので、ますます混雑するであろう。一般的に言えば、５ＧＨｚ帯には限られた量のスペクトルのみが存在し、ますます多くのユーザがその消費を希望するであろう。
【０００３】
[0003]   さらに、時には、５ＧＨｚ帯のある特定の部分は、ＲＦソースでないデバイス（例えば、電力線）から来る（comes from ）、あるいは自然において存在する、局所的な干渉（例えば、大気擾乱）により利用できないことがある。米国連邦通信委員会は、レーダーが検出された場合、チャネルが明け渡される（vacated ）ことを要求するので、レーダーの存在もまた、連続した１６０ＭＨｚ帯域幅で動作する確率を低減させうる。この結果、５ＧＨｚ帯内では、送信機が利用可能な連続した１６０ＭＨｚスペクトルを検出できないときがありうる。
【０００４】
[0004]   したがって、最大１６０ＭＨｚまでの帯域幅を利用する能力（capability ）が存在している一方で、その量の帯域幅は、必ずしも利用可能であるとは限らないであろう。
【発明の概要】
【０００５】
[0005]   本発明によるＩＥＥＥ８０２．１１ａｃの実施形態では、１６０ＭＨｚスペクトルは、第１の８０ＭＨｚセグメントと第２の８０ＭＨｚセグメントにセグメント化され（segmented ）うる。第１および第２のセグメントは、互いに連続していることも、あるいは連続していないこともありうる（即ち、それらは、ある周波数帯域によって互いから分離されている）。このような一実施形態において、第１のセグメントおよび第２のセグメントは、各帯域が２０ＭＨｚの倍数（a multiple of 20 MHz ）である１つまたは複数の周波数帯域に分けることができる。例えば、第１のセグメントは、それぞれ４０ＭＨｚの２つの帯域に分割され、第２のセグメントは、それぞれ４０ＭＨｚの２つの帯域に分割されうる。全帯域（即ち、１６０ＭＨｚスペクトル全体）を含む組み合わせを含む、周波数帯域の異なる組み合わせは、パケットごとに（packet-by-packet basis ）選択されうる。２つのセグメントにおけるすべての周波数帯域が利用可能である場合には、すべての周波数帯域が、データパケットを送信するために使用されうる。いくつかの周波数帯域のみが利用可能である場合には、利用可能な周波数帯域のみが、データパケットを送信するために選択されうる。
【０００６】
[0006]   より一般的には、一実施形態において、第１の周波数帯域の組み合わせが、第１のデータパケットを送信するために選択され、第２の、異なる周波数帯域の組み合わせが、第２のデータパケットを送信するために選択される。このような一実施形態では、データストリームは、第１のデータのセット（例えば、ビットまたはデータユニット）および第２のデータのセット（例えば、ビットまたはデータユニット）に分割される。第１のデータのセットは、第１の周波数帯域の組み合わせに割り当てられ、第２のデータのセットは、第２の周波数帯域の組み合わせに割り当てられる。
【０００７】
[0007]   一実施形態では、各データパケットは、そのデータパケットを送信するために使用されている選択された周波数帯域を識別する情報を含む。このような一実施形態では、データパケット中の１つまたは複数のビット値は、そのデータパケットのために使用されている周波数帯域の組み合わせを示すように設定される。
【０００８】
[0008]   したがって、周波数スペクトル全体（例えば、１６０ＭＨｚスペクトル）が利用可能でない場合、そのスペクトルの少なくとも利用可能な部分が、データパケットを送信するために使用されうる。この結果、スペクトルの利用が改善され、所与のデータ量（またはデータパケット数）を送信するために必要とされる（経過時間として測定される）総時間量が低減されうる。
【０００９】
[0009]   本発明の様々な実施形態のこれらおよびその他の目的および利点が、様々な図面に例示される実施形態の以下の詳細な説明を読むことにより、当業者によって理解されるであろう。
【図面の簡単な説明】
【００１０】
[0010]   本明細書に組み込まれ、その一部を形成し、かつ同様の番号が同様の構成要素を表す添付図面は、本発明の実施形態を例示し、記述とともに、本発明の原理を説明するために役立つ。
【図１】図１は、本発明による実施形態がインプリメント（implemented ）されうる無線デバイスの例のブロック図である。
【図２】図２は、本発明による実施形態での周波数スペクトルにおける周波数帯域の例を例示する。
【図３】図３は、本発明の実施形態による、データパケットを送信するための方法の例を示すフローチャートである。
【図４】図４は、本発明による実施形態をインプリメントするために使用されうる送信機の例のブロック図である。
【図５】図５は、本発明による実施形態をインプリメントするために使用されうる送信機の別の例のブロック図である。
【図６】図６は、本発明による実施形態をインプリメントするために使用されうる送信機の別の例のブロック図である。
【図７Ａ】図７Ａは、本発明による実施形態における動作時の周波数セグメントパーサ（frequency segment parser ）の例を例示する。
【図７Ｂ】図７Ｂは、本発明による実施形態における動作時の周波数セグメントパーサの例を例示する。
【図８Ａ】図８Ａは、本発明による実施形態をインプリメントするために使用されうる送信機の別の例のブロック図である。
【図８Ｂ】図８Ｂは、本発明による実施形態における動作時の媒体アクセス制御プロトコルデータユニット（media access control protocol data unit ）（ＭＰＤＵ）パーサの例を例示する。
【詳細な説明】
【００１１】
[0020]   ここで本開示の様々な実施形態が詳細に参照され、その例が添付図面において例示される。これらの実施形態と関連して説明される一方で、それらは、本開示をこれらの実施形態に限定するように意図されないことが理解されるであろう。むしろ、本開示は、代替例、修正および同等物をカバーするように意図され、これらは、添付の特許請求の範囲によって定義される本開示の趣旨および範囲内に含まれうる。さらに、本開示の以下の詳細な説明では、多くの特定の詳細が、本開示の完全な理解を提供するために説明される。しかしながら、本開示はこれらの特定の詳細なしで実施されうることが理解されるであろう。他の事例では、周知の方法、手順、コンポーネント、および回路は、本開示の態様を不必要に不明瞭にしないように、詳細には説明されていない。
【００１２】
[0021]   以下の詳細な説明のいくつかの部分は、コンピュータメモリ内のデータビットに対する動作の手順、論理ブロック、処理、およびその他のシンボリック表現という観点から示される。これら説明および表現は、データ処理分野の当業者によって、それらの作業の内容（substance ）を他の当業者に最も効果的に伝達するために使用される手段である。本願では、手順、論理ブロック、プロセス、またはこれに類するものは、所望の結果をもたらすステップまたは命令の首尾一貫したシーケンス（self-consistent sequence ）であるとみなされる。これらステップは、物理量の物理的操作を利用するものである。必ずしもではないが、通常、これらの量は、コンピュータシステムにおいて、記憶される、転送される、組み合わされる、比較される、および、さもなければ操作されることが可能な電気信号または磁気信号の形を取る。主に一般用法の理由で、これらの信号を、トランザクション（transactions ）、ビット、値、要素、シンボル、文字、サンプル、画素、またはこれに類するものとして称することは、時に便利であることが分かっている。
【００１３】
[0022]   しかしながら、これらのすべておよび類似の用語は、適切な物理量と関連付けられるものであり、単に、これらの量に適用される便利なラベルにすぎないことに留意されたい。以下の記述から明らかであるように、明記されていない限り、本開示の全体を通して、「選択する（selecting ）」、「パーズする（parsing ）」、「割り当てる（allocating ）」、「含む（including ）」、「設定する（setting ）」、「取得する（obtaining ）」、「送信する（transmitting ）」、「受信する（receiving ）」、「分割する（dividing ）」、またはこれに類することなどの用語を用いる記述は、コンピュータシステムまたは同様の電子コンピューティングデバイス（例えば、図１のデバイス１００のような無線デバイス）あるいはプロセッサの動作および処理（例えば、図３のフローチャート３００）を指すことが理解される。このコンピュータシステムまたは同様の電子コンピューティングデバイスは、コンピュータシステムメモリ、レジスタ、またはその他のこのような情報の記憶、送信または表示デバイス内の物理（電子）量として表されるデータを操作および変換する。
【００１４】
[0023]   ここに説明される実施形態は、１つまたは複数のコンピュータまたはその他のデバイスによって実行される、プログラムモジュールのような、何らかの形のコンピュータ可読記憶媒体上に存在するコンピュータ実行可能命令の一般的な文脈において説明されうる。限定ではなく例として、コンピュータ可読記憶媒体は、非一時的なコンピュータ可読記憶媒体および通信媒体を備えることができ、非一時的なコンピュータ可読媒体は、一時的な、伝搬信号を除くすべてのコンピュータ可読媒体を含む。一般に、プログラムモジュールは、特定のタスクを実行するか、または特定の抽象データ型をインプリメントするルーチン、プログラム、オブジェクト、コンポーネント、データ構造等を含む。プログラムモジュールの機能は、様々な実施形態において、所望に応じて分散または組み合わされうる。
【００１５】
[0024]   コンピュータ記憶媒体は、コンピュータ可読命令、データ構造、プログラムモジュールまたはその他のデータなどの情報の記憶のために、任意の方法または技術でインプリメントされる、揮発性および不揮発性の、取外し可能および取外し不可能な媒体を含む。コンピュータ記憶媒体は、それに限定されるものではないが、ランダムアクセスメモリ（ＲＡＭ）、読み出し専用メモリ（ＲＯＭ）、電気的消去可能プログラマブルＲＯＭ（ＥＥＰＲＯＭ）、フラッシュメモリまたはその他のメモリ技術、コンパクトディスクＲＯＭ（ＣＤ−ＲＯＭ）、デジタル多目的ディスク（ＤＶＤｓ）またはその他の光学記憶装置、磁気カセット、磁気テープ、磁気ディスク記憶装置またはその他の磁気記憶デバイス、あるいは所望の情報を記憶するために使用されることができ、かつその情報を取り出すためにアクセスされることができる任意の他の媒体を含む。
【００１６】
[0025]   通信媒体は、コンピュータ実行可能命令、データ構造、およびプログラムモジュールを具現化することができ、かつ任意の情報伝送媒体を含む。限定ではなく例として、通信媒体は、有線ネットワークまたは直接有線接続などの有線媒体、音波（acoustic ）、無線周波数（ＲＦ）、赤外線およびその他の無線媒体などの無線媒体を含む。上記の任意の組み合わせもまた、コンピュータ可読媒体の範囲内に含まれうる。
【００１７】
[0026]   図１は、本発明による実施形態がインプリメントされうる無線デバイス１００において利用されうる様々なコンポーネントを例示する。無線デバイス１００は、無線通信ネットワークにおける基地局、アクセスポイント、またはユーザ端末であることができ、例えば、携帯電話またはスマートフォン、コンピュータシステム、衛星航法システムデバイス、あるいはこれに類するものであることができる。
【００１８】
[0027]   無線デバイス１００は、無線デバイス１００の動作を制御するプロセッサ１０４を含みうる。ＲＯＭおよびＲＡＭの両方を含みうるメモリ１０６は、プロセッサ１０４に命令およびデータを提供する。また、メモリ１０６の一部分が、不揮発性ランダムアクセスメモリ（ＮＶＲＡＭ）を含みうる。
【００１９】
[0028]   図１の例では、無線デバイス１００は、送信機１１０および受信機１１２を含む。送信機１１０および受信機１１２は、トランシーバへと組み合わされうる。１つまたは複数のアンテナ１１６は、トランシーバに結合され、ここで送信機１１０および受信機１１２は、１つまたは複数のアンテナ１１６に結合されうる。送信機１１０は、マルチプル（multiple ）の送信チェーン（transmit chain ）を含むことができ、また、受信機１１２は、マルチプルの受信チェーンを含むことができる。したがって、無線デバイス１００は、多入力、多出力（ＭＩＭＯ）デバイスとしてインプリメントされうる。
【００２０】
[0029]   一実施形態では、無線デバイス１００は、総エネルギー、シンボル当たりのサブキャリア当たりのエネルギー（energy per subcarrier per symbol ）、電力スペクトル密度、およびこれに類するものなどの、トランシーバによって受信される信号のレベルを検出し、定量化するために使用されうる信号検出器１１８を含む。また、無線デバイス１００は、無線デバイス１００における使用のために、データストリームを提供または受信しうる媒体アクセスコントローラ（media access controller ）（ＭＡＣ）１２０を含みうる。一実施形態では、このデータストリームは、データリンク層に関連するまたは関連づけられるデータから導出されうる。
【００２１】
[0030]   無線デバイス１００の様々なコンポーネントは、バスシステム１２２によって共に結合されることができ、これは、データバスに加えて、電力バス、制御信号バス、およびステータス信号バスを含むことができる。
【００２２】
[0031]   送信機１１０は、データストリームから送信される信号を生成するように動作可能である。本発明の実施形態によると、送信機１１０は、データストリームを異なる周波数帯域に分割しうる。どの周波数帯域が利用可能であるかに依存して、１つのデータパケットは、１つの周波数帯域の組み合わせを使用して送られることができ、別のデータパケットは、別の周波数帯域の組み合わせを使用して送られることができる。送信機１１０は、異なる方法でインプリメントされうる、例えば、図４、図５、図６、および図８Ａを参照。
【００２３】
[0032]   ＩＥＥＥ８０２．１１ａｃの実施形態では、例えば、１６０ＭＨｚスペクトルは、第１の８０ＭＨｚセグメントと第２の８０ＭＨｚセグメントにセグメント化されうる。第１および第２のセグメントは互いに連続（contiguous ）しうる、あるいは、それらは１つまたは複数の周波数帯域によって分離されうる。このような一実施形態では、第１のセグメントおよび第２のセグメントは、各帯域が２０ＭＨｚの倍数である１つまたは複数の周波数帯域に分けることができる。例えば、第１のセグメントは、それぞれ４０ＭＨｚの２つの帯域に分割されることができ、第２のセグメントは、それぞれ４０ＭＨｚの２つの帯域に分割されることができる。ＩＥＥＥ８０２．１１ａｃの実施形態では、第１のセグメントにおける第１の帯域は、２０ＭＨｚのプライマリチャネル（primary channel ）を含む。プライマリチャネルは、制御情報を送るために使用され、ＩＥＥＥ８０２．１１ａｃデバイスとレガシーデバイスの間の通信を容易にするために使用されることができ、各送信に含まれる。
【００２４】
[0033]   全帯域（即ち、例えば、１６０ＭＨｚスペクトル全体）を含む組み合わせを含む、周波数帯域の異なる組み合わせは、パケットごとに選択されうる。２つのセグメントにおけるすべての周波数帯域が利用可能である場合には、すべての周波数帯域が、データパケットを送信するために使用されうる。いくつかの周波数帯域のみが利用可能である場合には、利用可能な周波数帯域のみが、データパケットを送信するために選択されうる。
【００２５】
[0034]   図２は、本発明による実施形態での周波数スペクトルにおける周波数帯域の例を例示する。説明の簡単化のために、図２は、ＩＥＥＥ８０２．１１ａｃの実施形態の文脈において説明される。しかしながら、本発明は、それに限定されるものではない。図２の例は、他の無線コンピュータネットワーキング規格にまで拡張されることができ、また、他の周波数スペクトルおよび帯域に適合されることができる。
【００２６】
[0035]   図２の例では、１６０ＭＨｚの周波数スペクトルは、８０ＭＨｚの第１の周波数スペクトル（セグメントＳ１）と８０ＭＨｚの第２の周波数スペクトル（セグメントＳ２）に分割される。一実施形態では、第１のセグメントＳ１および第２のセグメントＳ２は、不連続であり(non-contiguous) 、即ち、第１のセグメントＳ１は、周波数帯域Ｆ１によって、第２のセグメントＳ２から分離されている。周波数帯域Ｆ１についての典型的な値は、２０の倍数（例えば、２０、４０、または８０ＭＨｚ）あるいはゼロよりも大きい、いずれの任意の値（例えば、１００または２００ＭＨｚ）でありうる。別の実施形態（図示せず）では、第１および第２のセグメントＳ１およびＳ２は、互いに連続している（Ｆ１はゼロである）。
【００２７】
[0036]   図２の例では、第１のセグメントＳ１は、それ自体が、第１の周波数帯域のセットに分割され、第２のセグメントＳ２もまた、第２の周波数帯域のセットに分割される。一実施形態では、第１の周波数帯域のセットは、（プライマリチャネルを含む）第１の４０ＭＨｚ帯域Ｂ１と第２の４０ＭＨｚ帯域Ｂ２を含み、第２の周波数帯のセットは、第１の４０ＭＨｚ帯域Ｂ３と第２の４０ＭＨｚ帯域Ｂ４を含む。
【００２８】
[0037]   動作時に、無線デバイス１００（図１）は、データパケットを別の無線デバイスに送信するために利用可能である帯域幅を決定する（「トークする前にリッスンする（listen before talk ））」。あるいは、他の無線デバイスが、どの帯域幅が利用可能であるかを無線デバイス１００に通知しうる。例えば、他の無線デバイスは、どの帯域幅が利用可能であるかを識別する「送信可（clear to transmit ）」信号を送信しうる。
【００２９】
[0038]   一旦、無線デバイス１００が、利用可能な帯域幅を知ると、それは、データパケットの送信に使用するために、周波数帯域Ｂ１−Ｂ４のうちの１つまたは複数を選択しうる。例えば、時間Ｔ１では、それぞれ８０ＭＨｚの２つの不連続な（non-contiguous ）帯域幅が利用可能でありうる。したがって、１つまたは複数のデータパケットは、すべての周波数帯域Ｂ１−Ｂ４に割り当てられ、かつすべての周波数帯域Ｂ１−Ｂ４を使用して送られうる。時間Ｔ２では、おそらく８０ＭＨｚ（連続する）のみが利用可能であり（例えば、セグメントＳ２が利用可能でなく、周波数帯域Ｂ１およびＢ２が利用可能である）、この場合、１つまたは複数のデータパケットは、例えば、周波数帯域Ｂ１およびＢ２に割り当てられ、かつ周波数帯域Ｂ１およびＢ２を使用して送られうる。時間Ｔ３では、おそらく追加の４０ＭＨｚが利用可能であり（例えば、おそらく周波数帯域Ｂ１、Ｂ２、およびＢ３が利用可能である）、この場合、１つまたは複数のデータパケットは、周波数帯域Ｂ１、Ｂ２、およびＢ３に割り当てられ、かつ周波数帯域Ｂ１、Ｂ２、およびＢ３を使用して送られうる。
【００３０】
[0039]   上述したように、本発明による実施形態は、図２において説明された特定の例に限定されない。一般に、本発明の実施形態によると、周波数スペクトルは、任意の実用的な幅の２つ以上の周波数セグメント（例えば、Ｓ１、Ｓ２、．．．）に分割されうる。これらセグメントは、互いに連続する（contiguous ）ことも連続しないこともありえ、および、同じ幅を有することも有さないこともありうる。これらセグメントのうちの１つまたは複数は、任意の実用的な幅の周波数帯域のセット（例えば、Ｂ１、Ｂ２、．．．；およびＢ３，Ｂ４、．．．）にさらに分割されることができ、これら周波数帯域は、同じ幅を有することも有さないこともできる。利用可能な帯域幅に依存して、周波数帯域の異なる組み合わせが、データパケットを送るために使用されうる。周波数帯域の組み合わせは、パケットごとに選択されることができ、即ち、１つまたは複数のパケットは、（すべてを含む）１つまたは複数の周波数帯域の１つの組み合わせを用いて送られることができ、（すべてを含む）１つまたは複数の周波数帯域の別の組み合わせを用いて送られることができる１つまたは複数のパケットによって後続される。周波数帯域の特定の組み合わせに含まれる周波数帯域は、互いに連続することも連続しないこともでき、例えば、パケットは、周波数帯域Ｂ１とＢ２を使用して、あるいは周波数帯域Ｂ１とＢ３を使用して送られることができる。
【００３１】
[0040]   一実施形態では、各データパケットは、そのパケットのために選択される周波数帯域を識別する情報を含む。このような一実施形態では、データパケット中の１つまたは複数のビット値は、そのデータパケットのために使用されている周波数帯域の組み合わせを示すために設定される。
【００３２】
[0041]   図２の例をインプリメントするために、４ビットの値ｂ０、ｂ１、ｂ２、およびｂ３は、データパケットを送信するために使用されている周波数帯域を示すために使用されうる。一実施形態では、４ビットの値は、データパケットのプリアンブル中の超高速スループット−信号フィールド（Very High Throughput-Signals field ）（例えば、ＶＨＴ−ＳＩＧ−Ａフィールド）に含まれる。データパケットを送信するために使用されうる周波数帯域の組み合わせまたは数に依存して、異なる数のビットが使用されうる。例えば、ＩＥＥＥ８０２．１１ａｃは、可能な帯域幅のモードを次のものに限定する：連続した２０ＭＨｚ、連続した（contiguous ）４０ＭＨｚ、連続した８０ＭＨｚ、不連続な（non-contiguous ）８０＋８０ＭＨｚ、または連続した１６０ＭＨｚ。したがって、２ビットのみが、データパケットを送信するために使用されている周波数帯域を示すために使用されうる。
【００３３】
[0042]   表１は、図２の例に基づいて、選択された周波数帯域の組み合わせを示すために使用されうるビット値の例である。
【表１】
0005635195.tif 000002
【００３４】
[0043]   表２は、図２の例に基づくいくつかの可能な帯域幅構成の例であり、また、ビットｂ０−ｂ３の対応する値およびデータトーンの数を示す。他の帯域幅構成も可能であるが、簡単化のために、表２には含まれていない。
【表２】
0005635195.tif 000003
【００３５】
[0044]   図３は、本発明の実施形態による、データパケットを送信するための方法の例を示すフローチャート３００である。一実施形態では、以下に説明される動作は、図１の無線デバイス１００、具体的には送信機１１０、によって実行される。上述されたように、送信機１１０は、異なる方法でインプリメントされうる。例えば、図４、図５、図６、および図８Ａを参照。
【００３６】
[0045]   図３では、特定のステップが開示されているが、このようなステップは典型的である。すなわち、本発明による実施形態は、図３に記載されたステップのバリエーションまたは様々なその他のステップを含みうる。また、図３のステップは、それらが説明される順序以外の順序でも実行されうる。
【００３７】
[0046]   ブロック３０２では、第１の複数の周波数が第１のパケットを送信するために利用可能であることを識別する情報が取得／アクセスされる。ＩＥＥＥ８０２．１１ａｃの実施形態では、例えば、第１の複数の周波数は、１６０ＭＨｚ以下の連続したスペクトル、あるいはそれぞれ８０ＭＨｚ以下の２つの不連続なスペクトル（例えば、１つまたは両方が、８０ＭＨｚ未満の幅を有しうる）を含みうる。
【００３８】
[0047]   ブロック３０４では、第１の周波数帯域の組み合わせが選択される。この第１の組み合わせは、第１の複数の周波数に含まれる第１の周波数帯域のセットから選択される。第１の周波数帯域の組み合わせは、第１の複数の周波数における利用可能な帯域幅の量に依存して、例えば、周波数帯域Ｂ１、Ｂ２、Ｂ３、およびＢ４（図２）の任意の組み合わせを含みうる。
【００３９】
[0048]   図３のブロック３０６では、第１のデータパケットは、第１の周波数帯域の組み合わせを使用して送信される。
【００４０】
[0049]   ブロック３０８では、第２の複数の周波数が第２のパケットを送信するために利用可能であることを識別する情報が取得／アクセスされ、ここで、第２の複数の利用可能な周波数は、第１の複数の利用可能な周波数とは異なる。上述したように、ＩＥＥＥ８０２．１１ａｃの実施形態では、例えば、第２の複数の周波数は、１６０ＭＨｚ以下の連続したスペクトル、あるいはそれぞれ８０ＭＨｚ以下の２つの不連続なスペクトル（例えば、１つまたは両方が、８０ＭＨｚ未満の幅を有しうる）を含みうる。
【００４１】
[0050]   ブロック３１０では、第２の周波数帯域の組み合わせが選択される。この第２の組み合わせは、第２の複数の周波数に含まれる第２の周波数帯域のセットから選択される。第２の周波数帯域の組み合わせは、第２の複数の周波数における利用可能な帯域幅の量に依存して、例えば、周波数帯域Ｂ１、Ｂ２、Ｂ３、およびＢ４（図２）の任意の組み合わせを含みうる。この第２の組み合わせは、第１のパケットを送信するために使用される第１の周波数帯域の組み合わせとは異なりうる。
【００４２】
[0051]   図３のブロック３１２では、第２のデータパケットは、第２の周波数帯域の組み合わせを使用して送信される。
【００４３】
[0052]   したがって、本発明によると、周波数スペクトル全体（例えば、１６０ＭＨｚスペクトル）が利用可能でない場合、そのスペクトルの少なくとも利用可能な部分が、データパケットを送信するために使用されうる。この結果、スペクトルの利用が改善され、所与のデータ量（またはデータパケット数）を送信するために必要とされる（経過時間として測定される）総時間量が低減されうる。
【００４４】
[0053]   図４は、本発明による実施形態をインプリメントするために使用されうる典型的な送信機４００のブロック図である。送信機４００は、図１の送信機１１０をインプリメントしうる。送信機４００は、（図２および図３に関連して上述されたように）どの周波数が利用可能であるかに依存して、（表２に示されたように）異なる組み合わせの周波数を有する信号を生成するために使用されうる。
【００４５】
[0054]   図４のデータのソースは、データリンク層であることができ、これはパケットローカライズされたデータ（packet localized data ）を示す。このようなデータは、スクランブラ４１０でスクランブルされて、比較的バランスの取れた複数の１およびゼロの数を有するデータストリームを生成する。その後、スクランブルされたデータストリームは、パケット化されたデータをＦＥＣブロック４３０において前方誤り訂正（forward error correction ）（ＦＥＣ）プロトコルが実行されうるモジュラー要素に分割するために、エンコーダパーサ４２０よってパーズ（parsed ）される。エンコーダパーサ４２０は、畳み込み符号化（convolutional coding ）のような何らかの符号化が求められる場合に使用されうる。いくつかの実施形態では、エンコーダパーサ４２０は、低密度パリティチェック（Low Density Parity Check ）（ＬＤＰＣ）が送信データ経路の処理（processing of the transmit data path ）における他の場所で用いられる場合に省略されうる。一実施形態では、エンコーダパーサ４２０は、入力（incoming ）データストリームをビット単位（bit-wise ）またはブロック単位（block-wise ）のラウンドロビン方式でパーズしうる。
【００４６】
[0055]   ＦＥＣブロック４３０は、任意の一般的な前方誤り訂正符号化を用いて、データのストリームをエンコードしうる。このような符号化は、受信機に受信誤りまたは送信誤りを訂正することを可能にするために、追加データ（例えば、追加の、冗長ビット）を加える。図４の例では、有効データリンク層全体が、全帯域幅にわたってエンコードされる。ＦＥＣブロック４３０の出力は、ストリームパーサ４４０へストリームされ（streamed ）、それは、出力を収集し、その後マルチプルの並列経路にデータを供給する。この実施形態では、ストリームパーサ４４０は、ＦＥＣブロック４３０からのデータを２つのストリームにパーズする。他の実施形態では、ストリームパーサ４４０は、そのストリームを３つ以上のストリームにパーズしうる。なお他の実施形態では、ストリームパーサ４４０は、１つのストリームのみ（例えば、ＱＡＭの１つの経路）が使用される場合、バイパスされうる。任意の特定の実施形態におけるストリーム数のみならず、送信機４００のマルチプルのブロックの構成が、８０２．１１ａｃに従うように、および／または他の考慮すべきことを考慮するように構成されうる。ストリームパーサ４４０は、ラウンドロビンビット単位方式（round-robin bit-wise fashion ）で複数のビットをパーズしうる。代替の実施形態では、ストリームパーサ４４０は、ラウンドロビン方式で、あるいは任意のランダムまたは疑似ランダムの方式で、複数のビットのグループをパーズしうる。
【００４７】
[0056]   ストリームパーサ４４０の出力は、インターリーバ（ＩＮＴ）ブロック４４５に結合される。インターリーバブロック４４５は、任意の周知のインターリービング方法を使用しうる。一実施形態では、インターリーバは、メモリでインプリメントされうる。入力データは、メモリの行に書き込まれることができ、一方、送出データは、メモリの列から読み出されることができる。この実施形態では、データは、対象の帯域全体にわたってインターリーブされる。インターリーバ４４５は、それぞれの直交振幅マッピング（quadrature amplitude mapping ）（ＱＡＭ）ブロック４５０に結合されうる。
【００４８】
[0057]   一実施形態では、ＱＡＭブロック４５０の出力は、時空間ブロック符号器（space-time block coder ）（ＳＴＢＣ）４５５に結合され、それは、時空間ブロック符号化を実行する。一実施形態では、ＱＡＭブロックのうちの１つの出力は、巡回シフト遅延器（cyclic shift delayer ）（ＣＳＤ）４５８に結合される。ＣＳＤは、意図的でないビームフォーミングを阻止するのに役立ちうる。
【００４９】
[0058]   ２つのストリーム（この実施形態では、「上方の（upper ）」ＱＡＭブロック４５０からのものと、ＣＳＤ４５８からのもの）は、図４に示されるように、空間マッパ（spatial mapper ）４６０に結合される。空間マッパ４６０は、送信されるべきトーンがどれであるか、およびどれだけの帯域幅がＩＦＦＴｓに割り当てられているかにしたがって、どのように上方のＱＡＭブロック４５０からのデータとＣＳＤ４５８からのデータとが、送信用のストリームに分散されるかを決定しうる。この実施形態では、空間マッパ４６０は、データを２つのストリームにマッピングする。各ストリームは、それぞれの逆高速フーリエ変換（ＩＦＦＴ）プロセッサ４７０および４７２に結合される。送信が、互いに連続していない帯域上で生じる場合には（不連続な送信（non-contiguous transmission ））、各ストリームについての空間マッパ４６０の出力は、各ストリームが別々のＩＦＦＴに結合されているマルチプルのストリームに分割されうる。ＩＦＦＴｓ  ４７０および４７２の出力は、それぞれデジタルアナログ変換器（ＤＡＣｓ）４７５および４７７に結合される。
【００５０】
[0059]   一実施形態では、ＤＡＣｓ  ４７５および４７７の出力は、それぞれバッファブースター増幅器（ＢＢＡｓ：buffer booster amplifiers ）４８０および４８２に結合され、それらは、ＤＡＣｓとミキサ（ＭＩＸ）（周波数コンバータ）４９０および４９２との間の電気整合を提供するために使用されうる。ミキサ４９０および４９２は、信号を変調し、その後、それらは、アンテナ１１６を通じて送信される。
【００５１】
[0060]   図５は、本発明による実施形態をインプリメントするために使用されうる送信機５００の別の例のブロック図である。送信機５００は、図１の送信機１００をインプリメントしうる。送信機５００は、図２に関連して上述されたように、どの周波数が利用可能であるかに依存して、（表２に示されたように）異なる組み合わせの周波数を有する信号を生成するために使用されうる。図５は、２つの帯域幅モジュールのみを示しているが、他の実施形態は、３つ以上の帯域幅モジュールを使用しうる。これら帯域幅モジュールは、同じ帯域幅をサポートでき（例えば、２つの帯域幅モジュールが８０ＭＨｚの帯域幅をそれぞれサポートできる）、あるいはそれらは、異なる帯域幅をサポートできる（例えば、１つの帯域幅モジュールが８０ＭＨｚの帯域幅をサポートでき、別の帯域幅モジュールが４０ＭＨｚの帯域幅をサポートできる）。
【００５２】
[0061]   送信機５００は、多くの点において図４の送信機４００と類似しているが、空間マッパ４６０のダウンストリームに追加の要素を含む。より具体的には、送信機５００は、追加のＩＦＦＴｓ  ５７１、５７２、５７３、および５７４に加えて、対応するＤＡＣｓ  ５７５、５７６、５７７、および５７８と、ＢＢＡｓ  ５８０、５８１、５８２、および５８３と、ミキサ５９０、５９１、５９２、および５９３とを含む。ここで前述したとおり、各追加のＩＦＦＴおよびＤＡＣは、互いから分離されているか、あるいは互いに隣接しうる別々の周波数帯域をサポートしうる。このように、データストリームは、周波数において互いに隣接している必要がない特定の（異なるおよび独立した）周波数帯域にマッピングされる。マルチプルのストリームは、ミキサ５９０−５９３の後に組み合されうることに留意されたい。例えば、初期の１６０ＭＨｚストリームの場合には、２つの５１２ポイントＩＦＦＴｓ（two 512 point IFFTs ）が、エンコーディングのために使用されうる。図４では、この初期の１６０ＭＨｚは、２つの８０ＭＨｚストリームに分割されうるが、各ストリームは２５６ポイントＩＦＦＴを必要とする。各々の２つのストリームは、５１２トーンのうちの半分（１／２）で作動するので、２つのストリームは、ミキサ５９０−５９３に続く加算器５９４によって合計されうる。さらに、各帯域は、他の帯域とは独立した変調および符号化スキーム（modulation and coding scheme ）（ＭＣＳ）を使用しうる。
【００５３】
[0062]   図６は、本発明による実施形態をインプリメントするために使用されうる送信機６００の別の例のブロック図である。送信機６００は、図１の送信機１００をインプリメントしうる。送信機６００は、周波数セグメントＳ１およびＳ２（図２）が連続または不連続のいずれかであるインプリメンテーションに有用である。送信機６００は、図２に関連して上述されたように、どの周波数が利用可能であるかに依存して、（表２に示されたように）異なる組み合わせの周波数を有する信号を生成するために使用されうる。図６は、２つの帯域幅モジュールのみを示しているが、他の実施形態は、３つ以上の帯域幅モジュールを使用しうる。これら帯域幅モジュールは、同じ帯域幅をサポートでき、あるいは、それらは、異なる帯域幅をサポートできる。
【００５４】
[0063]   送信機６００は、多くの点において図４および図５の送信機４００および５００と類似しているが、エンコーディング機能の前に、データストリームを２つのストリームに分割する周波数セグメントパーサ６０５を含む。図６の例では、周波数セグメントパーサ６０５は、スクランブラ４１０の前に位置する。あるいは、周波数セグメントパーサ６０５は、スクランブラ４１０の後およびエンコーダパーサ４２０の前に位置しうる。
【００５５】
[0064]   周波数セグメントパーサ６０５は、図７Ａおよび図７Ｂを参照して説明される。図７Ａの例では、利用可能な（選択された）帯域幅は、幅が等しい。例えば、選択された（利用可能な）周波数帯域の組み合わせは、２つの８０ＭＨｚ帯域（例えば、図２の周波数帯域Ｂ１−Ｂ４）、または２つの４０ＭＨｚ帯域（例えば、図２の帯域Ｂ１−Ｂ４から選択される、同じ周波数帯域の組み合わせ、または２つの帯域の２つの異なる組み合わせ）を含みうる。いずれの場合でも、周波数セグメントパーサ６０５は、図７Ａに示されるように、例えば、偶数ビット（ｂ０、ｂ２、ｂ４…）を選択された帯域のうちの一方に割り当て、奇数ビット（ｂ１、ｂ３、ｂ５…）を他方の選択された帯域に割り当てることによって、入力データストリームを選択された周波数帯域の間で等しく分割しうる。
【００５６】
[0065]   図７Ｂの例では、利用可能な（選択された）帯域幅は、幅が等しくない。例えば、選択された（利用可能な）周波数帯域の組み合わせは、１つの８０ＭＨｚ帯域（例えば、図２のセグメントＳ１）および１つの４０ＭＨｚ帯域（例えば、図２の帯域Ｂ３またはＢ４）を含みうる。この状況では、周波数セグメントパーサ６０５は、例えば、図７Ｂに示されるように、入力データストリームを、選択された周波数帯域の間で不平等に分割する。この典型的なパーズィング（parsing ）では、１つの帯域が他の帯域の２倍の幅を有するが、広い方の帯域（wider band ）に割り当てられるビットの数は、必ずしも狭い方の帯域（narrower band ）に割り当てられるビットの数の２倍ではないことに留意されたい。８０ＭＨｚでのトーンの数（２３４トーン）は、４０ＭＨｚでのトーンの数（１０８トーン）の２倍以上であり、したがって、広い方の帯域で送信されるデータ量は、狭い方の帯域で送信されるデータ量の２倍以上になる。これに適応する（accommodate ）ために、周波数セグメントパーサ６０５は、ある時は、狭い方の帯域に割り当てられる各ビットに対して、広い方の帯域に２ビットを割り当て、またある時は、それは、狭い方の帯域に割り当てられる各ビットに対して、広い方の帯域に３ビットを割り当てる。
【００５７】
[0066]   図６に戻って参照すると、空間マッパ４６０からのデータは、図５の例でのように、２つ以上の連続または不連続な周波数帯域にマッピングされうる。ＩＦＦＴｓ  ５７１−５７４の各々が独立しているので、周波数帯域もまた独立しうる（したがって、周波数帯域は、互いに隣接している必要がない）。さらに、独立した周波数帯域上で送信される信号は、異なるＭＣＳｓにより独立にエンコードされうる。
【００５８】
[0067]   図８Ａは、本発明による実施形態をインプリメントするために使用されうる送信機８００の別の例のブロック図である。送信機８００は、図１の送信機１００をインプリメントしうる。送信機８００は、周波数セグメントＳ１およびＳ２（図２）が連続または不連続のいずれかであるインプリメンテーションに有用である。送信機８００は、図２に関連して上述されたように、どの周波数が利用可能であるかに依存して、（表２に示されたように）異なる組み合わせの周波数を有する信号を生成するために使用されうる。図８Ａは、２つの帯域幅モジュールのみを示しているが、他の実施形態は、３つ以上の帯域幅モジュールを使用しうる。これら帯域幅モジュールは、同じ帯域幅をサポートでき、あるいは、それらは、異なる帯域幅をサポートできる。
【００５９】
[0068]   送信機８００は、多くの点において図４、図５、および図６の送信機４００、５００、および６００と類似しているが、スクランブラ４１０の前に位置するＭＡＣ（媒体アクセス制御）プロトコルデータユニット（ＰＤＵ）パーサ８０５を含む。あるいは、ＭＰＤＵパーサ８０５は、スクランブラ４１０の後およびエンコーダパーサ４２０の前に位置しうる。
【００６０】
[0069]   ＭＰＤＵパーサ８０５は、図８Ｂを参照して説明される。図６の周波数セグメントパーサ６０５のようにビット毎に（bit-by-bit ）入力データストリームをパーズする代わりに、ＭＰＤＵパーサ８０５は、集約（aggregate ）ＭＰＤＵｓ（Ａ−ＭＰＤＵｓ）サブフレームをパーズして、これらサブフレームを選択された（利用可能な）周波数帯域に割り当てる。より具体的には、図８Ｂの例において、ＭＰＤＵｓ  １、２、および３を含むＡ−ＭＰＤＵサブフレームは、第１の利用可能な周波数帯域のセットに割り当てられ、また、ＭＰＤＵｓ  ４、５、６、および７を含むＡ−ＭＰＤＵサブフレームは、第２の利用可能な周波数帯域のセットに割り当てられる。各々の周波数帯域のセットに割り当てられるビットの数が等しくなるように、パディングが含まれうる。
【００６１】
[0070]   要約すると、本発明による実施形態は、第１の周波数帯域の組み合わせが、第１のデータパケットを送信するために選択されることと、第２の、異なる周波数帯域の組み合わせが、第２のデータパケットを送信するために選択されることとを可能にする。このような一実施形態では、データストリームは、第１のデータのセット（例えば、ビットまたはＭＰＤＵｓ）および第２のデータのセット（例えば、ビットまたはＭＰＤＵｓ）に分割される。第１のデータのセットは、第１の周波数帯域の組み合わせに割り当てられ、第２のデータのセットは、第２の周波数帯域の組み合わせに割り当てられる。
【００６２】
[0071]   したがって、周波数スペクトル全体（例えば、１６０ＭＨｚスペクトル）が利用可能でない場合、そのスペクトルの少なくとも利用可能な部分が、データパケットを送信するために使用されうる。この結果、スペクトルの利用が改善され、所与のデータ量（またはデータパケット数）を送信するために必要とされる（経過時間として測定される）総時間量が低減されうる。
【００６３】
[0072]   前述の開示が、特定のブロック図、フローチャート、および例を使用して様々な実施形態を説明している一方で、ここで説明および／または例示された各々のブロック図のコンポーネント、フローチャートステップ、動作、および／またはコンポーネントは、広範囲のハードウェア、ソフトウェア、またはファームウェア（あるいは、これらの任意の組み合わせ）の構成を使用して、別箇におよび／または集合的にインプリメントされうる。加えて、他のコンポーネント内に含まれるコンポーネントの任意の開示は、多くの他のアーキテクチャが同じ機能を達成するためにインプリメントされうるので、例として考慮されるべきである。
【００６４】
[0073]   ここに説明および／または例示された処理パラメータおよびシーケンスのステップは、単なる例として与えられている。例えば、ここに例示および／または説明されたステップは、特定の順序で説明または示されているが、これらのステップは、必ずしも例示または説明された順序で実行されるわけではない。また、ここに説明および／または例示された様々な実例的な方法は、ここに説明または例示された１つまたは複数のステップを省略することができ、あるいは開示されたそれらに加えて追加のステップを含むことができる。
【００６５】
[0074]   したがって、本発明による実施形態は説明された。本開示が特定の実施形態において説明されてきた一方で、本発明は、このような実施形態によって限定されるようには解釈されるべきでなく、むしろ以下の特許請求の範囲にしたがって解釈されることが理解されるべきである。
以下に、本願出願の当初の特許請求の範囲に記載された発明を付記する。
［Ｃ１］  第１のデータパケットを送信するための第１の周波数帯域の組み合わせを選択することと、
送信機を使用して、第２のデータパケットを送信するための第２の周波数帯域の組み合わせを選択することと、前記第２の組み合わせは、前記第１の組み合わせとは異なる、
データストリームを第１のデータのセットと第２のデータのセットにパーズすることと、前記第１のデータのセットは、前記第１の周波数帯域の組み合わせに割り当てられ、前記第２のデータのセットは、前記第２の周波数帯域の組み合わせに割り当てられる、
を備える方法。
［Ｃ２］  第１のセグメントの周波数および第２のセグメントの周波数を備える周波数スペクトルから、前記第１の組み合わせおよび前記第２の組み合わせを選択することをさらに備え、前記第１のセグメントは、第１の周波数帯域のセットを備え、前記第２のセグメントは、第２の周波数帯域のセットを備える、Ｃ１に記載の方法。
［Ｃ３］  前記第１のセグメントは、前記第２のセグメントと連続していない、Ｃ２に記載の方法。
［Ｃ４］  前記セグメントおよび前記第２のセグメントは、８０ＭＨｚの帯域幅をそれぞれ有する、Ｃ２に記載の方法。
［Ｃ５］  前記第１の組み合わせにおける各周波数帯域および前記第２の組み合わせにおける各周波数帯域は、２０ＭＨｚ、４０ＭＨｚ、および８０ＭＨｚを含むグループから選択される帯域幅を有する、Ｃ１に記載の方法。
［Ｃ６］  前記第１の周波数帯域の組み合わせに含まれる周波数帯域を識別する情報を前記第１のパケット中に含めることと、
前記第２の周波数帯域の組み合わせに含まれる周波数帯域を識別する情報を前記第２のパケット中に含めることと、
をさらに備える、Ｃ１に記載の方法。
［Ｃ７］  前記第１の組み合わせに含まれる周波数帯域を識別するために、前記第１のパケットの指定されたフィールド中に第１のビットセット値を設定することと、
前記第２の組み合わせに含まれる周波数帯域を識別するために、前記第２のパケットの前記指定されたフィールド中に第２のビットセット値を設定することと、
をさらに備える、Ｃ１に記載の方法。
［Ｃ８］  第１のパケットを送信するために利用可能な第１の複数の周波数を識別する情報を取得することと、
前記第１の複数の周波数のうちの第１の周波数のセットから選択された第１の周波数帯域の組み合わせを使用して、前記第１のデータパケットを送信することと、
送信機を使用して、第２のパケットを送信するために利用可能な第２の複数の周波数を識別する情報を取得することと、前記第２の複数の周波数は、前記第１の複数の周波数とは異なる、
前記第２の複数の周波数のうちの前記第２の周波数のセットから選択された第２の周波数帯域の組み合わせを使用して、前記第２のデータパケットを送信することと、
を備える方法。
［Ｃ９］  データストリームを第１のデータのセットと第２のデータのセットにパーズすることをさらに備え、前記第１のデータのセットは、前記第１の周波数帯域の組み合わせに割り当てられ、前記第２のデータのセットは、前記第２の周波数帯域の組み合わせに割り当てられる、Ｃ８に記載の方法。
［Ｃ１０］  第１のセグメントの周波数および第２のセグメントの周波数を備える周波数スペクトルから、前記第１の組み合わせおよび前記第２の組み合わせを選択することをさらに備え、前記第１のセグメントは、第１の周波数帯域のセットを備え、前記第２のセグメントは、第２の周波数帯域のセットを備える、Ｃ８に記載の方法。
［Ｃ１１］  前記第１の連続した周波数スペクトルは、前記第２の連続した周波数スペクトルと連続していない、Ｃ１０に記載の方法。
［Ｃ１２］  前記第１の連続した周波数スペクトルおよび前記第２の連続した周波数スペクトルは、８０ＭＨｚの帯域幅をそれぞれ有し、前記第１の組み合わせにおける各周波数帯域および前記第２の組み合わせにおける各周波数帯域は、２０ＭＨｚ、４０ＭＨｚ、および８０ＭＨｚを含むグループから選択される帯域幅を有する、Ｃ１０に記載の方法。
［Ｃ１３］  前記第１の周波数帯域の組み合わせに含まれる周波数帯域を識別する情報を前記第１のパケット中に含めることと、
前記第２の周波数帯域の組み合わせに含まれる周波数帯域を識別する情報を前記第２のパケット中に含めることと、
をさらに備える、Ｃ８に記載の方法。
［Ｃ１４］  前記第１の組み合わせに含まれる周波数帯域を識別するために、前記第１のパケットの指定されたフィールド中に第１のビットセット値を設定することと、
前記第２の組み合わせに含まれる周波数帯域を識別するために、前記第２のパケットの前記指定されたフィールド中に第２のビットセット値を設定することと、
をさらに備える、Ｃ８に記載の方法。
［Ｃ１５］  データのパケットを備える無線信号を送信するように動作可能な複数のアンテナと、
前記複数のアンテナに結合され、かつデータストリームから前記無線信号を生成するように動作可能な送信機と、
を備え、
前記送信機は、前記データストリームを異なる周波数帯域に分割するように動作可能であり、なお、前記周波数帯域の第１の組み合わせは、第１のパケットを送信するために選択され、前記周波数帯域の第２の組み合わせは、第２のパケットを送信するために選択され、前記第２組み合わせは、前記第１の組み合わせと異なる、
デバイス。
［Ｃ１６］  前記第１の組み合わせおよび前記第２の組み合わせは、第１の周波数帯域のセットを備える第１の連続した周波数スペクトルから選択され、前記第２の周波数帯域の組み合わせは、第２の周波数帯域のセットを備える第２の連続した周波数スペクトルから選択される、Ｃ１５に記載のデバイス。
［Ｃ１７］  前記第１の連続した周波数スペクトルは、前記第２の連続した周波数スペクトルと連続していない、Ｃ１６に記載のデバイス。
［Ｃ１８］  前記第１の連続した周波数スペクトルおよび前記第２の連続した周波数スペクトルは、８０ＭＨｚの帯域幅をそれぞれ有し、前記第１の組み合わせにおける各周波数帯域および前記第２の組み合わせにおける各周波数帯域は、２０ＭＨｚ、４０ＭＨｚ、および８０ＭＨｚを含むグループから選択される帯域幅を有する、Ｃ１６に記載のデバイス。
［Ｃ１９］  前記第１のパケットは、前記第１の周波数帯域の組み合わせに含まれる周波数帯域を識別する情報を備え、前記第２のパケットは、前記第２の周波数帯域の組み合わせに含まれる周波数帯域を識別する情報を備える、Ｃ１５に記載のデバイス。
［Ｃ２０］  前記送信機は、前記第１の組み合わせに含まれる周波数帯域を識別するために、前記第１のパケットの指定されたフィールド中に第１のビットセット値を設定し、前記第２の組み合わせに含まれる周波数帯域を識別するために、前記第２のパケットの前記指定されたフィールド中に第２のビットセット値を設定するようにさらに動作可能である、Ｃ１５に記載のデバイス。
【図１】
0005635195.tif 000004
【図２】
0005635195.tif 000005
【図３】
0005635195.tif 000006
【図４】
0005635195.tif 000007
【図５】
0005635195.tif 000008
【図６】
0005635195.tif 000009
【図７Ａ】
0005635195.tif 000010
【図７Ｂ】
0005635195.tif 000011
【図８Ａ】
0005635195.tif 000012
【図８Ｂ】
0005635195.tif 000013